(57)【特許請求の範囲】
【請求項１】
天板と、
前記天板を支持する脚部と、
前記天板から上方に延びる支柱と、
前記支柱に設けられて上下方向に延びる回転支持軸と、
前記回転支持軸に回転自在に係合される回転部材と、
前記回転部材と接続され、前記回転部材の回転軸中心から径方向外方に延びる回転接続部材と、
前記回転接続部材から垂下して上面視円弧状に形成されるとともに、下端に床面と接して移動する移動支持部材が設けられる移動幕部材と、
を有することを特徴とする机。
【請求項２】
前記移動支持部材は、首振り不能な固定車輪とされ、
前記回転部材は、前記回転支持軸の外周に設けられるニードルベアリングにより回転自在に支持されるとともに、下端をスラストベアリングにより支持されることを特徴とする請求項１に記載の机。
【請求項３】
前記支柱は、上面視三角形状の頂部に位置するよう配置される３本の柱状部材と、前記３本の柱状部材に渡って上端に設けられる平板状のベースプレートとを備え、
前記回転支持軸は、前記ベースプレートから立設することを特徴とする請求項１又は請求項２に記載の机。
【請求項４】
前記脚部は、前記天板の下面に取り付けられる上脚部と、床面に接地される下脚部と、前記上脚部と前記下脚部とを接続する縦脚部とからなるとともに、前記脚部は３箇所に形成され、
各前記柱状部材の下端部は、それぞれの前記上脚部に連結されることを特徴とする請求項３に記載の机。
【請求項５】
前記３本の柱状部材における上面視三角形状の内側には柱固定部が設けられて各前記柱状部材がそれぞれ互いに接続されることを特徴とする請求項３又は請求項４に記載の机。
【請求項６】
前記回転部材と、前記回転接続部材と、前記移動幕部材と、を有する回転移動体が３組備えられるとともに、各前記回転移動体の回転半径は異なって形成され、
前記天板は、上面視三角形状に形成されることを特徴とする請求項１乃至請求項５の何れか記載の机。
【発明の詳細な説明】
【技術分野】
【０００１】
本発明は、主にオフィス等で使用される事務用の机に関する。
【背景技術】
【０００２】
従来から、オフィス等で用いられる机については、事務作業等に集中したり、機密情報等を他者から視認されないようにするために、スクリーン等が備えられた机が提供されている。例えば、特許文献１に開示されるパネル付きの机は、机の後方にメッシュ状のクロスやスクリーンで形成されるパネルが備えられている。このパネルは、上下に移動可能に形成されるので、天板から上側と下側とのパネルの位置を調節することができる。従って、机の使用の状況や使用者の好みに応じてパネルの位置を上下に調節することができる。
【先行技術文献】
【特許文献】
【０００３】
【特許文献１】特開２００８−１４２３３７号公報
【発明の概要】
【発明が解決しようとする課題】
【０００４】
ここで、近年においては、作業効率や他部署とのコミュニケーションを向上させるため、机をグループ毎に円形やコ字状に並べる等として机を室内でランダムに配置する試みがなされている。この場合、作業効率や他部署とのコミュニケーションが向上する利点があるが、人の動線が画一的ではなくなり、机で作業している人の背後を予期せず他者が通ることがあるので、作業に集中できなかったり、機密情報を扱い難くなったりする等の問題が発生する。
【０００５】
本発明の目的は、作業に集中し易く、機密情報を扱う作業もし易い机を提供する。
【課題を解決するための手段】
【０００６】
本発明に係る机は、天板と、前記天板を支持する脚部と、前記天板から上方に延びる支柱と、前記支柱に設けられて上下方向に延びる回転支持軸と、前記回転支持軸に回転自在に係合される回転部材と、前記回転部材と接続され、前記回転部材の回転軸中心から径方向外方に延びる回転接続部材と、前記回転接続部材から垂下して上面視円弧状に形成されるとともに、下端に床面と接して移動する移動支持部材が設けられる移動幕部材と、を有する。
【０００７】
また、前記移動支持部材は、首振り不能な固定車輪とされ、前記回転部材は、前記回転支持軸の外周に設けられるニードルベアリングにより回転自在に支持されるとともに、下端をスラストベアリングにより支持される。
【０００８】
また、前記支柱は、上面視三角形状の頂部に位置するよう配置される３本の柱状部材と、前記３本の柱状部材に渡って上端に設けられる平板状のベースプレートとを備え、前記回転支持軸は、前記ベースプレートから立設する。
【０００９】
また、前記脚部は、前記天板の下面に取り付けられる上脚部と、床面に接地される下脚部と、前記上脚部と前記下脚部とを接続する縦脚部とからなるとともに、前記脚部は３箇所に形成され、各前記柱状部材の下端部は、それぞれの前記上脚部に連結される。
【００１０】
また、前記３本の柱状部材における上面視三角形状の内側には柱固定部が設けられて各前記柱状部材がそれぞれ互いに接続される。
【００１１】
また、前記回転部材と、前記回転接続部材と、前記移動幕部材と、を有する回転移動体が３組備えられるとともに、各前記回転移動体の回転半径は異なって形成され、前記天板は、上面視三角形状に形成されることを特徴とする。
【発明の効果】
【００１２】
本発明によれば、机に向かって着座する人の上方から径方向外方に回転接続部材を延ばし、この回転接続部材から移動幕部材を垂下して設けて、机に向かって着座する人の背後に移動幕部材を位置させることができる。これにより、机に向かって着座する人の背後を通る人の気配を軽減することができるとともに、他者から作業中の書類等を視認されることが低減されるので、作業に集中して取り組めることができる机を提供することができる。
【００１３】
そして、移動幕部材は、上面視において円弧状に形成されるので、机に向かって着座する人の背後だけではなく、机に向かって着座する人の左右についても遮蔽することができる。さらに、移動幕部材は移動支持部材により床面と接して支持されつつ回転されるので、スムーズに移動させることができる。従って、移動幕部材を使用しない場合には背後からずらして、着座の邪魔にならないようにする等、作業に応じて移動幕部材の位置を適宜変更することができる。
【００１４】
また、移動支持部材は固定車輪として、回転部材はニードルベアリングとスラストベアリングにより支持されるよう構成される。これにより、構造を簡単にした机を構成することができるとともに、移動幕部材の回転操作をスムーズに行うことができる。
【００１５】
また、支柱は、３本の柱状部材及び柱状部材の上端のベースプレートを備え、このベースプレートから回転支持軸が立設される。これにより、安定的な３点でベースプレートを支持できるとともに、移動幕部材の回転に対しても回転支持軸を確実に支持することができる。
【００１６】
また、天板を支持する脚部は３箇所に設けられるとともに、柱状部材の下端部は脚部における上脚部と連結される。これにより、３本の柱状部材がそれぞれ脚部で支持されることとなるとともに、各柱状部材と各脚部が連続的に形成されるので、安定的かつ外観良く支柱を形成することができる。
【００１７】
また、柱状部材は、柱固定部により、それぞれ互いに接続される。従って、３本の柱状部材からなる支柱の剛性をさらに高めることができる。
【００１８】
また、移動幕部材、回転接続部材及び回転部材で構成される回転移動体は、３組設けられ、天板は上面視三角形状に形成される。従って、天板を上面視三角形状に形成することにより、回転移動体の回転半径を小さくすることができる。そして、回転移動体の回転半径を異ならせているので、全ての回転移動体を重ねるようにして移動させることができる。これにより、３人が着座することができる机について、周囲を囲んで閉鎖空間を形成することができる。そして、閉鎖空間とする必要が無いときには、回転移動体を移動して全ての回転移動体を重ねて机の周囲を開放させることもできる。
【図面の簡単な説明】
【００１９】
【図１】本発明の実施形態に係る机を示す斜視図である。
【図２】本発明の実施形態に係る机のメッシュクロスを省略した斜視図である。
【図３】本発明の実施形態に係る机の回転支持部の構造を示す縦断面図である。
【図４】本発明の実施形態に係る机の脚部の構造を示す縦断面図である。
【図５】本発明の実施形態に係る机の回転移動体が回転する軌跡を示す上面図である。
【図６】本発明の実施形態に係る机の回転移動体を移動して重ねた状態を示す斜視図である。
【発明を実施するための形態】
【００２０】
本発明の実施形態を図に基づいて説明する。図１は本発明に係る机１０の斜視図である。図２は、図１における机１０のメッシュクロス５１，６１，７１を省略した斜視図である。机１０は、上面視略三角形状の天板１６及び３つの脚部２０を備える。天板１６は、上面視略三角形状の各辺に着席可能とされる。従って、机１０には３人が同時に着席可能である。そして、天板１６の略中央部分からは、３本の柱状部材１２ａ，１２ｂ，１２ｃからなる支柱１２が上方に向けて延設される。支柱１２の上端にはベースプレート１４が設けられる。ベースプレート１４からは回転支持部３０が立設される。この回転支持部３０には、メッシュクロス５１，６１，７１が張られた回転移動体５０，６０，７０が回転支持部３０を中心にして回転自在に設けられている。机１０は、回転移動体５０，６０，７０を適宜回転させて、着座する人の背後及び左右を囲うようにして仕切ることができる。
【００２１】
このような机１０の天板１６は、図５にも示されるように、３つの頂部をそれぞれＲ面取り状とした上面視略三角形状に形成される。天板１６の上面視略三角形状の各辺は、外側に凸円弧形状となるよう緩やかに膨出して形成されている。天板１６の下側には、天板１６を支持する脚部２０が３カ所に取り付けられている。この３つの脚部２０は、天板１６の頂部に合う位置で天板１６に固定される。従って、天板１６は、３つの脚部２０により３点支持される。そして、脚部２０における床面に接地されて長尺板状に延びる下脚部２４は、先端部を天板１６の頂部に向けて配置される。このようにして脚部２０を天板１６に設けることにより、天板１６の各辺に人が着座しても脚部２０が邪魔になることはない。
【００２２】
支柱１２の３本の柱状部材１２ａ，１２ｂ，１２ｃは、それぞれの下側を脚部２０に連結され、上端には上面視略三角形状の平板状のベースプレート１４が固定されている。従って、３本の柱状部材１２ａ，１２ｂ，１２ｃは、天板１６や脚部２０の配置に合わせて、上面視略三角形状の頂部に位置するように配置される。柱状部材１２ａ，１２ｂ，１２ｃは、それぞれ横断面視における外形形状が楕円形とされるパイプ部材である。
【００２３】
支柱１２の上端に設けられるベースプレート１４は、上面視において各辺が凸円弧状に膨出される略三角形状に形成されている（図５参照）。ベースプレート１４の頂部は、天板１６の頂部や、脚部２０及び柱状部材１２ａ，１２ｂ，１２ｃと合わせて配置されている。ベースプレート１４の中心からは、回転支持部３０が上方に向けて立設している。ベースプレート１４からは、筒状の基部筒３１がベースプレート１４に固定されている。そして、基部筒３１を支持するように、３つの支持リブ３２ａ，３２ｂ，３２ｃがベースプレート１４と基部筒３１を接続するように設けられている。支持リブ３２ａ，３２ｂ，３２ｃは、それぞれ端部からなだらかに立ち上がる板状に形成される。支持リブ３２ａ，３２ｂ，３２ｃの端部は、天板１６の頂部と同じ向きに位置される。
【００２４】
図１及び図２に示す通り、回転支持部３０からは、回転移動体５０，６０，７０の回転接続部材５２，６２，７２が回転支持部３０の回転軸中心から径方向外方に延びるようにして設けられている。回転接続部材５２，６２，７２は、それぞれパイプ材料により形成される２本の上フレーム５２ａ，５２ｂ、上フレーム６２ａ，６２ｂ及び上フレーム７２ａ，７２ｂ（以下、纏めていうときは、「上フレーム５２ａ，５２ｂ等」という。）により形成されている。２本の上フレーム５２ａ，５２ｂ等は、上面視において内角が鋭角となる所定の角度で広がるようにして設けられている。２本の上フレーム５２ａ，５２ｂ等は、その基端部は水平に短く延びて、その後下方に向けて傾斜して形成されている。
【００２５】
回転接続部材５２，６２，７２は、径方向外側の端部から垂下する下フレーム５３，６３，７３が接続されている。下フレーム５３，６３，７３は、それぞれ２本の下フレーム５３ａ，５３ｂ、下フレーム６３ａ，６３ｂ及び下フレーム７３ａ，７３ｂ（以下、纏めていうときは「下フレーム５３ａ，５３ｂ等」という。）からなる。
【００２６】
具体的には、上フレーム５２ａ，５２ｂ等は、基端部と反対側の端部において、上フレーム５２ａ，５２ｂ等からやや外側に向かうよう傾斜して垂下する下フレーム５３ａ，５３ｂ等がそれぞれ接続されている。下フレーム５３ａ，５３ｂもともにパイプ材料により形成されている。上フレーム５２ａ，５２ｂ等と下フレーム５３ａ，５３ｂ等との接続部は、パイプ材料が滑らかに下方に向けて曲げられて形成されている。また、下フレーム５３ａ，５３ｂ等は、下端近傍でパイプ材料の向きが垂直になるよう曲げられている。
【００２７】
そして、上フレーム５２ａ，５２ｂ等と下フレーム５３ａ，５３ｂ等の各２本のフレームの間には、外側に向けて上面視凸円弧状に形成される下横フレーム５４，６４，７４、中横フレーム５５，６５，７５、上横フレーム５６，６６，７６が設けられている。下横フレーム５４，６４，７４は、それぞれ各下フレーム５３ａ，５３ｂ等の下端近傍で、各下フレーム５３ａ，５３ｂ等間に渡って設けられている。中横フレーム５５，６５，７５は、上フレーム５２ａ，５２ｂ等と下フレーム５３ａ，５３ｂ等との接続部分近傍の下フレーム５３ａ，５３ｂ等間に渡って設けられている。上横フレーム５６，６６，７６は、上フレーム５２ａ，５２ｂ等と下フレーム５３ａ，５３ｂ等との接続部分近くの上フレーム５２ａ，５２ｂ等の間に渡って設けられている。
【００２８】
そして、回転移動体５０，６０，７０のメッシュクロス５１，６１，７１は、それぞれ下フレーム５３ａ，５３ｂ等と、中横フレーム５５，６５，７５と、下横フレーム５４，６４，７４とで形成される枠に張った状態で設けられる。このようにして、移動幕部材５０Ａ，６０Ａ，７０Ａは、メッシュクロス５１，６１，７１と、下フレーム５３ａ，５３ｂ等と、中横フレーム５５，６５，７５と、下横フレーム５４，６４，７４とにより、回転接続部材５２，６２，７２とされる上フレーム５２ａ，５２ｂ等から垂下して上面視円弧状に形成される。なお、メッシュクロス５１，６１，７１は、網目状に形成された布であり、透光性はあるが内部の様子を詳細に知覚することはできないものである。
【００２９】
さらに、図２に示すように、移動幕部材５０Ａ，６０Ａ，７０Ａには、下フレーム５３ａ，５３ｂ等の下端にそれぞれ固定車輪５８ａ，５８ｂ、固定車輪６８ａ，６８ｂ及び固定車輪７８ａ，７８ｂ（以下、纏めていうときには「固定車輪５８ａ，５８ｂ等」という。）が設けられている。固定車輪５８ａ，５８ｂ等は、床面と接して移動する首振り不能なキャスターである。従って、固定車輪５８ａ，５８ｂ等は、移動幕部材５０Ａ，６０Ａ，７０Ａを支持する移動支持部材とされる。固定車輪５８ａ，５８ｂの向きは、図５に示すように、各回転移動体５０，６０，７０における移動軌跡Ｐ，Ｑ，Ｒに合わせて設けられている。このように、移動支持部材を固定車輪５８ａ，５８ｂ等とすることにより、首振りされるキャスターに比べて、首振りによる移動の中断が発生することが無く、回転移動体５０，６０，７０を移動軌跡Ｐ，Ｑ，Ｒに沿って確実に移動させることができる。
【００３０】
また、各柱状部材１２ａ，１２ｂ，１２ｃにおける両側面には、長手方向に長い溝（例えば柱状部材１２ｃにおける溝１２ｃ１）が形成される。この溝には、多数のねじ穴が長手方向に並べて配置されるプレートが固定されている。このプレートのねじ穴を利用して、３本の柱状部材１２ａ，１２ｂ，１２ｃにおける上面視略三角形状の内側に、３本の柱状部材１２ａ，１２ｂ，１２ｃを固定する柱固定部４０が設けられている。
【００３１】
具体的には、柱状部材１２ａ，１２ｂ，１２ｃにそれぞれ設けられる上下２箇所のジョイント部材４１，４２は、板金部材が２枚１組で構成される。ジョイント部材４１，４２は、その基端部を柱状部材１２ａ，１２ｂ，１２ｃを挟持するように前述のプレートのねじ穴にねじ固定されている。従って、ジョイント部材４１，４２は、先端部を中心に向けるようにして柱状部材１２ａ，１２ｂ，１２ｃから突出して形成されている。そして、各ジョイント部材４１，４２の先端には、上下に渡って垂直ロッド４３がねじ固定されて設けられている。
【００３２】
そして、３本の垂直ロッド４３は、上面視略三角形状の複数の三角プレート４４により接続されている。三角プレート４４は、上側の２枚と下側の２枚との合計４枚で３本の垂直ロッド４３と接続されている。
【００３３】
なお、柱状部材１２ａに取り付けられる下側のジョイント部材４２の両外側面には、板金部材が２枚１組とされる保持部材４５が取付けられている。この保持部材４５には、外側の端部４５ａに、例えばノートパソコンや照明器具等を保持する保持具を取り付けることができる。
【００３４】
次に、図３に基づいて、回転支持部３０について説明する。回転支持部３０は、基部筒３１の内側に、ベースプレート１４（図１参照）から立設する回転支持軸３２が設けられている。そして、回転支持軸３２周りである基部筒３１の上端には、２つの環状のスラストワッシャー３３ａと、この２つのスラストワッシャー３３ａ間に挟まれるスラストベアリング３３が設けられている。スラストベアリング３３は、針状ころと、この針状ころを保持する保持器により形成されている。
【００３５】
スラストベアリング３３における上側のスラストワッシャー３３ａのさらに上側には、ニードルベアリング３４と回転部材７３５が設けられている。円筒状に形成される回転部材７３５は、ニードルベアリング３４の外周に設けられる。ニードルベアリング３４は、針状ころ３４ｂが保持器３４ａに保持されて形成されている。従って、回転部材７３５は、スラストワッシャー３３ａを介してスラストベアリング３３により下側を支持されつつ、ニードルベアリング３４により回転支持軸３２の周りに回転自在に係合し、支持されている。
【００３６】
回転部材７３５の上側には同様に２つのスラストワッシャー３３ａ及びこの２つのスラストワッシャー３３ａに挟まれて設けられるスラストベアリング３３が設けられている。この上側には、ニードルベアリング３４と回転部材６３５が設けられている。回転部材６３５の上側も同様に、２つのスラストワッシャー３３ａとスラストベアリング３３を介してニードルベアリング３４と回転部材５３５が設けられている。そして、回転部材５３５の上側には、スラストワッシャー３３ａを介してキャップ３６が設けられている。キャップ３６は、回転支持軸３２の上端の円形のプレート３７に、ピン３８を介して固定されている。なお、スラストワッシャー３３ａは、回転支持軸３２周りの回転方向には固定されていない。一方、スラストベアリング３３及びニードルベアリング３４は、回転支持軸３２周りの回転方向は固定されている。
【００３７】
ここで、各回転部材５３５，６３５，７３５は、回転接続部材５２，６２，７２と接続されている。具体的には、回転部材５３５には上フレーム５２ａ，５２ｂが接続して固定され、回転部材６３５には上フレーム６２ａ，６２ｂが接続して固定され、回転部材７３４には上フレーム７２ａ，７２ｂが接続して固定される。このように形成される回転支持部３０により、回転移動体５０，６０，７０はスムーズに回転させることができる。
【００３８】
すなわち、移動幕部材５０Ａ，６０Ａ，７０Ａの下端に設けられる固定車輪５８ａ，５８ｂ等は、図５に示す軌跡Ｐ，Ｑ，Ｒに沿って固定されているが、移動幕部材５０Ａ，６０Ａ，７０Ａの回転支持軸３２（回転支持部３０）周りの回転により、固定車輪５８ａ，５８ｂ等には僅かに内輪差が生じる。このとき、下フレーム５３ａ，５３ｂ等及び上フレーム５２ａ，５２ｂには、捩じれが生じてしまう。しかしながら、回転部材５３５，６３５，７３５は、ニードルベアリング３４により回転支持されるので、回転部材５３５，６３５，７３５が偏心して回転しても安定して回転支持させることができる。さらに、回転部材５３５，６３５，７３５はスラストベアリング３３により下側から支持されるので、回転移動体５０，６０，７０の自重及び偏心回転による力が回転部材５３５，６３５，７３５に掛かることになっても、安定して回転部材５３５，６３５，７３５を支持することができる。
【００３９】
なお、回転部材５３５，６３５，７３５の回転支持構造は、すべり軸受けや玉軸受等の他の手段を用いることもできる。しかしながら、偏心回転される回転移動体５０，６０，７０をスムーズに回転させるためには、上述の通り、本実施形態の構成が好適である。
【００４０】
次に、図４に基づいて、脚部２０について説明する。天板１６の下面には、３つの脚部２０が取り付けられる。以下の説明においては、この３つの脚部２０のうちの１つについて縦断面図とした図４に基づいて説明する。
【００４１】
脚部２０の下側は、床面に接地される下脚部２４が形成されている。下脚部２４は、長尺板状に形成される。下脚部２４の上面２４ａは、先端部２４ｂから基部２４ｃにかけて登るように傾斜される緩やかなテーパー面とされている。先端部２４ｂ及び基部２４ｃの下面には、高さが短い円筒状に形成される接地部材２５がそれぞれ設けられている。床面に対しては、この接地部材２５の下面が接触される。
【００４２】
また、下脚部２４の基部２４ｃの上面には、ボス部２４ｄが突出して形成されている。ボス部２４ｄは、平面視略四角形状に形成されている。ボス部２４ｄには、上面に板状の押さえ突起２４ｅが２箇所に形成されている。一方、縦脚部２６は、四角筒状に形成される外筒２６ａと、円筒状に形成される内筒２６ｂを有する二重筒状とされている。内筒２６ｂは、外筒２６ａの内面から延びる複数の支持板２６ｃにより支持されている。
【００４３】
そして、下脚部２４の押さえ突起２４ｅは、縦脚部２６の外筒２６ａ内に挿入される。これにより、縦脚部２６の内筒２６ｂが挟持されるようにして、縦脚部２６に対して下脚部２４が位置決めされる。このようにして、下脚部２４のボス部２４ｄには、四角柱状に形成される縦脚部２６の下端がねじ固定される。
【００４４】
脚部２０の上側には、上脚部２８が設けられている。上脚部２８は、長尺板状に形成される。上脚部２８の基部２８ａの下面からは、平面視四角形状のボス部２８ｂが突出されている。ボス部２８ｂの下面には、下方に向けて突出する板状の押さえ突起２８ｃが複数箇所に形成されている。この複数の押さえ突起２８ｃは、縦脚部２６の外筒２６ａ内に挿入される。よって、上脚部２８は縦脚部２６に対して、押さえ突起２８ｃにより位置決めされて、ねじ固定される。一方、上脚部２８の上面は、天板１６と多数のねじにより固定されている。
【００４５】
さらに、上脚部２８の基部２８ａの上面には、柱連結部材２７が設けられている。柱連結部材２７は、下側に円盤状に形成される基部２７ａと、この基部２７ａから天板１６の開口孔１６ａを介して上方に立設する柱挿通部２７ｂとで形成される。柱挿通部２７ｂは柱状部材１２ａ，１２ｂ，１２ｃの内部に挿通される。ここで、柱挿通部２７ｂは、上面視凸形状として形成されている。そして、柱挿通部２７ｂは、図４において凸部が手前に向くように配置される。このように形成される柱挿通部２７ｂは、柱状部材１２ａ，１２ｂ，１２ｃの内部に挿入されている。なお、柱状部材１２ａ，１２ｂ，１２ｃは柱挿通部２７ｂとねじ固定される。また、基部２７ａは、上脚部２８の基部２８ａとねじ固定される。このようにして、柱状部材１２ａ，１２ｃ，１２ｂは、それぞれの下方に設けられる脚部２０と連結される。
【００４６】
すなわち、脚部２０は、天板１６の下面に取り付けられる上脚部２８と床面に接地される下脚部２４と、上脚部２８と下脚部２４とを接続する縦脚部２６で構成される。そして、柱状部材１２ａ，１２ｂ，１２ｃは、下端部を上脚部２８の基部２８ａと連結されるので、柱状部材１２ａ，１２ｂ，１２ｃを支持する支持部材を別途設けることなく、省スペースで見た目の良い机１０とすることができる。
【００４７】
以上のように形成される机１０の回転移動体５０，６０，７０は、図５で示すように、その回転半径を異ならせて形成されている。すなわち、回転移動体５０，６０，７０の移動軌跡Ｐ，Ｑ，Ｒで示されるように、移動軌跡Ｐで回転する回転移動体５０の回転半径が一番大きく、次いで移動軌跡Ｑの回転移動体６０が大きく、移動軌跡Ｒの回転移動体７０の回転半径が一番小さい。従って、各回転移動体５０，６０，７０同士を干渉することなく回転させることができ、回転移動体５０，６０，７０を使用しない場合には、図６に示すように、これらを重ねるように配置することができる。
【００４８】
また、上フレーム５２ａ，５２ｂ等で形成される内角は、回転移動体５０の上フレーム５２ａ，５２ｂで形成される内角が一番小さく、次いで回転移動体６０の上フレーム６２ａ，６２ｂで形成される内角が小さく、回転移動体７０の上フレーム７２ａ，７２ｂで形成される内角が一番大きく形成されている。これにより、図６に示すように回転移動体５０，６０，７０を重ねるように移動させたときに、下フレーム５３ａ，５３ｂ等の少なくとも一方の下フレーム５３ａ，５３ｂが突出される。従って、回転移動体５０，６０，７０が、図６で示すように、重ねられるようにして移動された場合であっても、下フレーム５３ａ等を容易に把持して回転移動操作をすることができる。
【００４９】
以上のように形成される机１０により、作業に集中したり機密情報を取り扱う作業を行ったりする場合には、机１０に着席する人の背後に移動幕部材５０Ａ，６０Ａ，７０Ａを移動させれば、人の背後や左右側を囲うことができる。そして、机１０への出入りが頻繁な作業を行う場合には、移動幕部材５０Ａ，６０Ａ，７０Ａを移動して重ねておくことができる。しかも、移動幕部材５０Ａ，６０Ａ，７０Ａは、手動で簡単に移動させることができる。
【００５０】
以上、本発明の実施形態を説明したが、本発明は以上の実施形態によって限定されることはない。例えば、本実施形態では、回転移動体５０，６０，７０を３組設けたが、１組や２組、又は４組以上の回転移動体を設けるようにしてもよい。また、本実施形態においては、移動支持部材として２つの固定車輪５８ａ，５８ｂ等を回転移動体５０，６０，７０にそれぞれ設けたが、これに限られず、移動幕部材５０Ａ，６０Ａ，７０Ａを支持して移動できる構成であれば適宜適用させることができる。例えば、床面にガイドレールを形成して、下フレーム５３ａ，５３ｂ等の下端に、このガイドレールに案内されるフォロアを取り付けるようにしてもよい。
【００５１】
また、支柱１２は、３本の柱状部材１２ａ，１２ｂ，１２ｃにより形成したが、柱状部材の本数や横断面形状は適宜選択して支柱を形成することができる。例えば、１本の支柱としてもよい。さらに、柱状部材１２ａ，１２ｂ，１２ｃは柱連結部材２７を介して上脚部２８と連結させたが、これに限られず、柱状部材１２ａ，１２ｂ，１２ｃの下端部を直接上脚部２８に溶接して連結させる等することができる。
【００５２】
また、本実施形態においては、天板１６を略三角形状としたが、これに限られず、円形や四角形として、一人又は二人以上が座れるようにしてもよい。ただし、本実施形態のように平面視略三角形状とすることで、回転移動体５０，６０，７０の回転半径を小さくすることができるとともに、天板１６の三角形の頂部近傍まで着席した各人の作業スペースとすることができ、使いやすい机１０とすることができる。さらに、上面視三角形状で形成された天板１６の各辺に着座することで、着座した人の真正面に向かいの人が来ることが無いので、視線を適度に外しながらグループでのコミュニケーションを行うことができる。
【００５３】
さらに、回転移動体５０，６０，７０のフレーム（上フレーム５２ａ，５２ｂ等や下フレーム５３ａ，５３ｂ等、上中下の横フレーム５６，５５，５４等）はパイプ材料により枠状に形成したが、これに限られず、例えば回転移動体の全体を一体の樹脂材料や板金材料により形成し、適宜窓枠等を設けるようにしてもよい。
【符号の説明】
【００５４】
１０      机                        １２      支柱
１２ａ    柱状部材                  １２ｂ    柱状部材
１２ｃ    柱状部材                  １２ｃ１  溝
１４      ベースプレート            １６      天板
１６ａ    開口孔
２０      脚部                      ２４      下脚部
２４ａ    上面                      ２４ｂ    先端部
２４ｃ    基部                      ２４ｄ    ボス部
２４ｅ    押さえ突起                ２５      接地部材
２６      縦脚部                    ２６ａ    外筒
２６ｂ    内筒                      ２６ｃ    支持板
２７      柱連結部材                ２７ａ    基部
２７ｂ    柱挿通部                  ２８      上脚部
２８ａ    基部                      ２８ｂ    ボス部
２８ｃ    押さえ突起
３０      回転支持部                ３１      基部筒
３２      回転支持軸                ３２ａ    支持リブ
３２ｂ    支持リブ                  ３２ｃ    支持リブ
３３      スラストベアリング        ３３ａ    スラストワッシャー
３４      ニードルベアリング        ３４ａ    保持器
３６      キャップ
３７      プレート                  ３８      ピン
４０      柱固定部                  ４１      ジョイント部材
４２      ジョイント部材            ４３      垂直ロッド
４４      三角プレート              ４５      保持部材
４５ａ    端部
５０      回転移動体
５０Ａ    移動幕部材                ５１      メッシュクロス
５２      回転接続部材              ５２ａ    上フレーム
５２ｂ    上フレーム                ５３      下フレーム
５３ａ    下フレーム                ５３ｂ    下フレーム
５４      横フレーム                ５４      下横フレーム
５５      中横フレーム              ５５      横フレーム
５６      上横フレーム              ５６      横フレーム
５８ａ    固定車輪                  ５８ｂ    固定車輪
６０      回転移動体
６０Ａ    移動幕部材                ６１      メッシュクロス
６２      回転接続部材              ６２ａ    上フレーム
６２ｂ    上フレーム                ６３      下フレーム
６３ａ    下フレーム                ６３ｂ    下フレーム
６４      下横フレーム              ６５      中横フレーム
６６      上横フレーム              ６８ａ    固定車輪
６８ｂ    固定車輪
７０      回転移動体
７０Ａ    移動幕部材                ７１      メッシュクロス
７２      回転接続部材              ７２ａ    上フレーム
７２ｂ    上フレーム                ７３      下フレーム
７３ａ    下フレーム                ７３ｂ    下フレーム
７４      下横フレーム              ７５      中横フレーム
７６      上横フレーム              ７８ａ    固定車輪
７８ｂ    固定車輪                  ８０      回転移動体
５３５    回転部材                  ６３５    回転部材
７３５    回転部材
【図１】
0006438325.tif 000002
【図２】
0006438325.tif 000003
【図３】
0006438325.tif 000004
【図４】
0006438325.tif 000005
【図５】
0006438325.tif 000006
【図６】
0006438325.tif 000007